【事件の表示】
　特許第３００２６７９号「ディスクカ―トリッジ」の請求項１ないし６に係る特許に対する特許異議の申立てについて、次のとおり決定する。
【結　論】
　訂正を認める。
　特許第３００２６７９号の請求項１ないし６に係る特許を維持する。
【理　由】
［I］手続の経緯　
　特許第３００２６７９号の請求項１〜６に係る発明の手続の経緯は、おおよそ次のとおりである。　
１．特許出願　　平成１１年５月１７日（平成２年４月１７日出願の実願平２−４０８５８号を平成７年１０月４日に特許出願に変更した特願平７−２５７４８１号（以下、原出願という。）の一部を新たに特許出願）　
２．特許権の設定　　平成１１年１１月１２日　
３．特許掲載公報の発行　　平成１２年１月２４日　
４．異議申立人赤坂雄司の異議申立　　平成１２年７月２１日　
５．異議申立人松本信雄の異議申立　　平成１２年７月２４日　
６．取消理由通知１　　平成１３年２月７日　
７．特許異議意見書、訂正請求書（指定期間内）　平成１３年４月２７日　
８．取消理由通知２　　平成１３年５月２１日　
９．上記７の訂正請求書の取り下げ　　平成１３年５月２８日　
１０．訂正請求書（指定期間内）　平成１３年５月２８日　　
　
［II］訂正の適否について　
１．平成１３年５月２８日付けの訂正請求書の訂正の内容　
　Ａ．特許請求の範囲の請求項１　
「【請求項１】　
　・・・・・・・・・・・・・・・・・・、　
　前記シャッタの折曲部分におけるシャッタ閉止方向側端部から突出するように伸ばして形成された伸設部とを有し、・・・・・・・・」を、　
「【請求項１】　
　・・・・・・・・・・・・・・・・・・、　
　前記シャッタの折曲部分におけるシャッタ閉止方向側端部から突出するように伸ばして形成されたケース厚み方向の幅が前記シャッタ支持部の幅よりも幅狭である伸設部とを有し、・・・・・・・・」と訂正。　
　
　Ｂ．段落６
「【０００６】　【課題を解決するための手段】　
・・・・・・・・・・・・・、前記シャッタの折曲部分におけるシャッタ閉止方向側端部から突出するように伸ばして形成された伸設部とを有し、・・・・・・・・」を、　
「【０００６】　【課題を解決するための手段】　
・・・・・・・・・・・・・・、前記シャッタの折曲部分におけるシャッタ閉止方向側端部から突出するように伸ばして形成されたケース厚み方向の幅が前記シャッタ支持部の幅よりも幅狭である伸設部とを有し、・・・・・・・・」と訂正。　
　
２．訂正の目的の適否、新規事項の有無及び拡張・変更の存否　
　Ａの訂正は、発明の詳細な説明の段落「【００１３】　　スライダー１２は、図４に示すように全体が細長い棒状となっており、断面略矩形であってシャッタ５の折曲部分５ａの内側に位置し、このシャッタ５を支持するシャッタの支持部２１と、この支持部２１から図４中左下方へ伸ばして形成された幅狭の伸設部２２とを有し、この伸設部２２の同図中上方から見た厚さｔ1 は、支持部２１の同じ厚さｔ2 に比べ小さくなるように形成されている。・・・・・・・・・。伸設部２２の厚さｔ1 を小さくしているのは、図５に示すようにシャッタ５を開いた状態で記録再生装置の一対のヘッドｈが側方からヘッド挿入口３へ接近しても、それに接触しないようにするためである。すなわち、カートリッジのガイド部Ｇに沿って形成された凹んだ凹み部３１の厚さを越えないように、伸設部２２の厚さｔ1 が定められる。」との記載から、「伸設部」を「ケース厚み方向の幅が前記シャッタ支持部の幅よりも幅狭である」とケース厚み方向の幅を限定した訂正であり、請求項１に構成要件を加えるもので、特許請求の範囲の減縮を目的とした明細書の訂正に該当する。　
　Ｂの訂正は、Ａの訂正に整合させるものであるから、明りょうでない記載の釈明を目的とした訂正に該当する。　
　そして、上記訂正Ａ，Ｂは、願書に添付された明細書に記載された事項の範囲内においてされたものであり、新規事項の追加に該当せず、実質上特許請求の範囲を拡張するものでも変更するものでもない。　
　
３．むすび
　以上のとおり、前記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書き、第２項及び第３項の規定に適合するので、当該訂正を認める。　
　
　
［III］特許異議申立について　
１．特許異議の申立の理由及び取消理由の概要　
（１）異議申立人松本信雄の主張の概要　
　ａ）訂正前の請求項１と原出願である甲第１号証の請求項１とを比較すると、訂正前の「シャッタの折曲部分の内側に位置してシャッタを支持するシャッタ支持部」と、甲第１号証の「シャッタを支持するシャッタ支持部」は、支持部がシャッタの内側に位置する構成で実質的に相違しない。さらに訂正前の請求項１の「シャッタの折曲部におけるシャッタ閉止方向側端部から突出するように伸ばして形成された伸設部」は、甲第１号証の「シャッタ支持部の一端から伸設された伸設部」と実質的に同じ「伸設部」で相違することがない。他の請求項についても、　
　　訂正前の請求項２は甲第１号証の請求項１と同じである。　
　　訂正前の請求項３は甲第１号証の請求項３と同じである。　
　　訂正前の請求項４は甲第１号証の請求項４と同じである。　
　　訂正前の請求項６は甲第１号証の請求項２と同じである。　
　以上のように、訂正前の請求項１〜４，６に係る発明は、甲第１号証に記載された発明と実質的に同一であり、特許法第４４条に規定している特許出願の分割の要件をみたさないもので、その出願日は遡及せず、出願日は平成１１年５月１７日となる。　
　結局、甲第２号証は本件特許発明の出願日前に公知の刊行物となり、訂正前の請求項１〜４，６に係る発明は、甲第２号証に記載された発明であるから、特許法第２９条第１項３号の規定に違反してなされたものである。　
　
甲第１号証：特許第２９６３０３６号公報（原出願の特許掲載公報）　
甲第２号証：特開平８−６３９３４号公報（原出願の公開公報）　
　
　ｂ）訂正前の請求項１〜４，６に係る発明は、本件出願前に国内に頒布された甲第３号証及び甲第４号証の刊行物に記載された発明に基づいて容易に発明することができたものであるから、特許法第２９条第２項の規定に違反してなされたものである。　
　
甲第３号証：実願昭６２−１６３０５７号（実開平１−７１３６７号）のマイクロフィルム（以下、刊行物３という。）　
甲第４号証：特開昭６３−１０３４８２号公報（以下、刊行物４という。）　
　
　ｃ）仮に分割出願が認められたとしても、訂正前の請求項１〜４，６に係る発明は、本件出願前の特許出願であってその出願後に出願公開された甲第５号証に記載された発明であるから、特許法第２９条の２の規定に違反してなされたものである。　
　
甲第５号証：特願平２−１７５２７２号（特開平３−２２４１６７号）（以下、先願明細書という。）　
　
（２）異議申立人赤坂雄司の主張の概要　
　ｄ）訂正前の請求項１〜６に係る発明は、本件出願前に国内に頒布された甲第１号証〜甲第３号証の刊行物に記載された発明に基づいて容易に発明することができたものであるから、特許法第２９条第２項の規定に違反してなされたものである。　
　
甲第１号証：特開平１−２４８３７８号公報（以下、刊行物６という。）　
甲第２号証：実願昭６２−１７２５９８号（実開平１−７８３７６号）のマイクロフィルム（以下、刊行物７という。）　
甲第３号証：特開昭６２−２０９７８４号公報（以下、刊行物８という。）　
（３）取消理由の概要　
　取消理由１は、上記ａ）の甲第２号証と同一であるというものである。　
　取消理由２は、「腕部」のケース厚み方向の幅については、詳細な説明には記載されておらず、また新規事項であるというものである。　
　
２．本件発明　
　特許３００２６７９号の請求項１〜６に係る発明は、平成１３年５月２８日付け訂正明細書の請求項１〜６に記載された事項により特定される次のとおりのものである（以下、「本件発明１〜６」という。）。　
「【請求項１】　
　ディスク状記録媒体が収納された合成樹脂製のケースと、　
　金属薄板を断面コの字形に折り曲げて形成され、前記ケースに形成されたヘッド挿入穴を開閉するためのシャッタと、　
　このシャッタに取り付けられ、　
　シャッタの開閉方向に滑るようにして前記ケースの端縁と摺接する合成樹脂製のスライダーとを備えたディスクカートリッジであって、　
　前記スライダーは、　
　前記シャッタの折曲部分の内側に位置してシャッタを支持するシャッタ支持部と、　
　前記シャッタの折曲部分におけるシャッタ閉止方向側端部から突出するように伸ばして形成されたケース厚み方向の幅が前記シャッタ支持部の幅よりも幅狭である伸設部とを有し、　
　この伸設部先端に、　
　シャッタを開方向に移動させるための開閉ピンと当接する当接突起部が形成されるとともに、　
　この当接突起部の下方に、　
　前記開閉ピンが落ち込むように前記ケースの端縁に形成された逃げ凹みの深さに略等しい長さの腕部を介して係合突起部が一体形成されていることを特徴とする　
　ディスクカートリッジ。　
　【請求項２】　
　係合突起部が、逃げ凹みの底部よりもケースの内方側に位置することを特徴とする請求項１に記載のディスクカートリッジ。　
　【請求項３】　
　係合突起部が、逃げ凹みの底部の長さよりも長く形成されていることを特徴とする請求項１又は２のいずれかに記載のディスクカートリッジ。　
　【請求項４】　
　係合突起部の先端が、シャッタの開放時においてもケースに形成された案内係合部と係合する長さを有することを特徴とする請求項３に記載のディスクカートリッジ。　
　【請求項５】　
　係合突起部の下面を、ケースに形成されディスク状記録媒体を保持する保持壁部と当接しないように切欠したことを特徴とする請求項１乃至４のいずれかに記載のディスクカートリッジ。　
　【請求項６】　
　シャッタ支持部のシャッタ開方向側に、シャッタを閉止方向に付勢する弾性部材が係合可能であることを特徴とする請求項１乃至５のいずれかに記載のディスクカートリッジ。」　
　
３．特許異議申立の理由についての判断　
（１）異議申立人松本信雄の理由　
　ａ）について
　本件の原出願である特許第２９６３０３６号の請求項１〜４に係る発明は、次のとおりのものである。　
「【請求項１】　
　ディスク状記録媒体が収納された合成樹脂製のケースと、　
　金属薄板を断面コの字形に折り曲げて形成され、前記ケースに形成されたヘッド挿入穴を開閉するためのシャッタと、　
　このシャッタに取り付けられ、　
　シャッタの開閉方向に滑るようにして前記ケースの端縁と摺接する合成樹脂製のスライダーとを備えたディスクカートリッジであって、　
　前記スライダーは、前記シャッタを支持するシャッタ支持部と、　
　このシャッタ支持部の一端から伸設された伸設部とを有し、　
　この伸設部先端に、シャッタを開方向に移動させるための開閉ピンと当接する当接突起部が形成されるとともに、　
　この当接突起部の下方に、前記開閉ピンが落ち込むように前記ケースの端縁に形成された逃げ凹みの深みに略等しい長さの腕部を介してその逃げ凹みの底部よりも前記ケース内方側に位置する係合突起部が一体形成されていることを特徴とする　
　ディスクカートリッジ。　
【請求項２】　
　シャッタ支持部のシャッタ開方向側に、シャッタを閉止方向に付勢する弾性部材が係合可能であることを特徴とする請求項１に記載のディスクカートリッジ。　
【請求項３】　
　係合突起部が、逃げ凹みの底部の長さよりも長く形成されていることを特徴とする請求項１又は２のいずれかに記載のディスクカートリッジ。　
【請求項４】　
　係合突起部の先端が、シャッタの開放時においてもケースに形成された案内係合部と係合する長さを有することを特徴とする請求項３に記載のディスクカートリッジ。」　
　してみると、上記［II］のとおり適法に訂正された訂正明細書に記載されている事項は、「ケース厚み方向の幅が前記シャッタ支持部の幅よりも幅狭である伸設部」において、原出願に係る発明と相違し、また、本件特許出願は分割の要件を満たすもので、その出願日は平成２年４月１７日に遡及する。　
　したがって、前記異議申立の理由２．（１）ａ）は前提を欠き、異議申立の理由は解消されている。　
　
　ｂ）について　
　　ｉ．刊行物に記載された事項　
刊行物３：実願昭６２−１６３０５７号（実開平１−７１３６７号）のマイクロフィルムには、以下の事項が記載されている。　
「〔実施例〕　
　本考案を光ディスクカートリッジに適用した一実施例について第１〜４図で説明すると、円形状の光ディスク１と、該ディスク１を回転可能に収納する上ケースと下ケースとからなるケース２と、このケース２に形成した記録・再生用のピックアップ挿入孔３や駆動軸挿入孔を開閉するため、ケース上下面を挟持状態でピックアップ挿入孔３を開閉する金属製（ＳＵＳ）のシャッタ板の上板４１及び下板４2をポリアセタール樹脂などの滑性良好な材質のスライダ４3にそれぞれ連結して断面がほぼコ字状に構成したシャッタ４を備え、前記スライダ４3のスライダ側壁４4の開放側の一側壁の角隅部に開閉ピン誘導用の面取部４6を設けると共に、第１図Ａ，Ｂに示すように前記シャッタ４の前端面を覆うスライダ壁厚Ｓをシャッタ開閉用ピンの前後方向への移動範囲Ｐより大きくした壁部を備え、ケース２に設けたシャッタロック用の凹部２５に開閉ピン２４が移動されて挿入しても開閉ピン２４がスライダ４3の内側に潜り込まないようにし、さらに前記ピックアップ挿入孔３のケース２のピックアップ挿入側壁とシャッタ４のスライダ４3のピックアップ挿入側壁との両方を前記ディスク１の表面と同高又はそれ以下に形成してある。　
　前記シャッタ４のスライダ４3としては嵌合スライドする形態としてあるため、厚み方向に突出するリブ状のガイド片１８1を備えて壁厚Ｓを保持するものであるが、スライダ４3のほぼ全長にわたって壁厚Ｓを持ったリブ状のガイド片１８1を設けたり、その開放側の側壁部４4の反対側壁部の一部又は少なくとも端部を壁厚Ｓを持た せたものでもよく、開閉ピン２４の移動範囲Ｐより大きくした壁部を備えた形態としてある。　
　また、第９図に示すように前記スライダ４3とケース２とが前記ディスク１厚み寸法ｃとほぼ等しいかまたは薄くした寸法ａのガイド片１８1と寸法ｂのピックアップ挿入側壁２1を持っている。この例では、シャッタの開放時にピックアップエリア内で移動するのはスライダ４3のスライダ側壁４4のみとなり、シャッタ４やケース２に干渉する部分も存在しないこととなってケース２にピックアップ挿入空間を大きくすることができるのである。」（第４頁第１２行〜第６頁第１５行）　
「この場合前記ケース２が、第８図示のように前記シャッタ４のストローク巾だけケース前面壁の上下に切欠部２２，２２をまたスライダ４３の側壁に切欠部１８２，１８２を形成するのがよいし、」（第７頁第３行〜第６行）　
「さらに前記シャッタ４の構成には前記スライダ４3に係合孔５と係合突起６とを設け、該係合孔５に挿入される係合片７と係合突起６に嵌入する係合穴８とを前記シャッタ板の一端を折曲げた段状部９にそれぞれ対応配備して、該段状部９の水平面及び鉛直面を前記スライダ４3の内面及び側面に当接して前期係合片７をスライダの係合孔５に挿入し、かつシャッタ板の係合穴８をスライダの係合突起６に嵌入して固着一体化してある。」（第８頁第１６行〜第９頁第５行）　
「しかして、シャッタ４のあるカートリッジケース２を装置側に組込むと、シャッタ４の開放時に記録再生装置側のシャッタ開閉ピン２４，２４が連動して一方がスライダ端部に当接し、シャッタ４を押し開くが開閉ピン２４がケース２にあるシャッタロック用の凹部２５に嵌入して停止してもスライダ４3が開閉ピン２４の移動範囲Ｐより大きい壁厚Ｓを持っているのでスライダ４3の内側に潜入することなく、適切に維持されカートリッジの取り出しに引掛ることがなくて容易で安全な操作が可能となり信頼性や精度をも十分に高めることができるものである。」（第１０頁第１２行〜第１１頁第３行）　
　
刊行物４：特開昭６３−１０３４８２号公報には、以下の事項が記載されている。　
「シャッタ４は、第４図に示すように、ステンレス等の金属薄板を略コの字形に折曲することによって形成される。」（第３頁左下欄第１９行〜右下欄第２行）　
「スライダ３は、第８図に示すように、前記シャッタ４の上片４ａと下片４ｂの間に嵌装可能な略角柱形に形成されており、両側面の対向位置には、前記下ケース６及び上ケース７の前縁部に沿って突設された案内突条９と摺動可能に嵌装するための凹溝１８，１８ａが凹設されている。また、前記シャッタ４の前片４ｃと対向する前面３ａ上には、前記切欠部１６，１６ａと略等しい間隔を隔てて２つの係止爪１９，１９ａが突設され、これら２つの係止爪１９，１９ａの間の前記透孔１５と対応する位置に、該透孔１５に密に挿通可能な突起２０が突設される。また、第９図に示すように、前記係止爪１９，１９ａを前記切欠部１６，１６ａに係合した場合、前記シャッタ４の側辺部から外側に突出するスライダ３の突出部３ａの前面に、略中央部から一方の側辺に貫通するシャッタ開閉レバー挿入用の凹陥部２１が凹設される。この突出部３ａの先端部には、第１０図に示すように、シャッタ戻しばねの一端を掛止するための掛止ピン２３が突設される。　
　このスライダ３は、例えばナイロン、四フツ化エチレン、ポレエチレン、ポリアセタール、ポリプロピレンの如き滑性に優れた合成樹脂、あるいは滑性に優れた金属材料等、任意の材料によって形成することができる。　
　スライダ３は、第１１図に示すように、凹溝１８，１８ａを案内突条９に跨設することによって、カートリッジケース１の前縁部に摺動可能に取り付けられる。また、シャッタ４は、上片４ａ及び下片４ｂをカートリッジケース１の両面に各々それぞれ重合して前片４ｃの裏面をスライダ３の前面３ａに当設し、このスライダ３の前面３ａに突設された係止爪１９，１９ａを前記シャッタ４の切欠部１６，１６ａに係合することによって、ワンタッチで前記スライダ３に固着される。」（第３頁右下欄第２０行〜第４頁左上欄第１４行）　
　
　　ii．対比・判断
　本件発明１と上記刊行物３，４に記載された発明を対比すると、本件発明１を特定する事項である、伸設部の当接突起部の下方に「前記開閉ピンが落ち込むように前記ケースの端縁に形成された逃げ凹みの深さに略等しい長さで前記伸設部と前記ケース厚み方向の幅が同一である腕部を介して係合突起部が一体形成されていること」は、上記刊行物３，４に記載されておらず、当該事項により本件発明１は、「第１係合突起部２６はケース１にスライダー１２の摺動方向に沿ってそれぞれ形成された案内係合部２８ａ，２８ｂに係合されて、スライダー１２を摺動方向に案内するとともに、このケース１から容易に外れるのを防止している。」という顕著な効果を奏するものであり、本件発明１が上記刊行物３，４に記載のものから容易に発明をすることができたものとはいえない。　
　
　本件発明２〜４，６は、請求項１を引用するもので、本件発明１と同様の理由により上記刊行物３，４に記載された発明から容易に発明をすることができたとすることはできない。　
　
　ｃ）について　
　ｉ．先願明細書に記載された事項　
　先願明細書は、以下の出願を基礎に優先権を主張するものである。　
　特願平１−１７１８１８号・平成１年７月５日出願　
　特願平１−３３８１６３号・平成１年１２月２８日出願　
　特願平１−３３８１６４号・平成１年１２月２８日出願　
　特願平１−３３８１６６号・平成１年１２月２８日出願　
　実願平１−１５０１５５号・平成１年１２月２８日出願　
　　
　先願明細書（特開平３−２２４１６７号公報）には以下の事項が記載されている。　
「第２２図に示すように、このディスクカートリッジ６は、主として硬質プラスチック製のカートリッジケース２１と、このカートリッジケース２１内に回転可能に収納された両面記録形の光ディスク７と、カートリッジケース２１の前縁部９に摺動可能に取り付けられたスライダ２２と、このスライダ２２に固着され、閉鎖位置より一方向に摺動してカートリッジケース２１に開設された窓孔１０を開閉するシャッタ１１と、シャッタ１１の先端部を押えるシャッタ押え板１８とから構成されている。」（第５頁右上欄第７行〜第１７行）
「前記下ハーフ８ｂの前縁部９には、前記接合用壁２３，２４よりもやや低い案内レール２５が一直線状に形成され、そのシャッタ閉鎖側の端部には、シャッタ停止用の段部２５ａが形成されている。」（第５頁右下欄第４行〜第８行）　
「シャッタ１１は、第２７図および第２８図に示すように、ステンレス等の薄板をコの字形に折り曲げることによって、前記窓孔１０の全体を同時に覆うことができる長さを有する上辺１１ａおよび下辺１１ｂ、それに前記カートリッジケース８のシャッタ設定部の厚さＳとほぼ等しい幅を有する前片１１ｃとが一体に形成されており、上辺１１ａおよび下辺１１ｂの前片１１ｃと近接した部分には、係止爪３０が内向きに曲折形成されている。　
　スライダ２２は、第２９図に示すように、幅広の前面部３１と幅狭の後面部３２とこれらをつなぐ連結部３３とから構成されており、これら各部によって形成される凹溝３４ａ，３４ｂ内に前記案内レール２５を内装できるようになっている。　
　前面部３２は、第３０図および第３１図に示すように、前記窓孔１０の幅Ｗよりもやや大きな長さlと前記補強部２７の厚さＴ1と同じかあるいはこれよりも狭い幅Ｔ２に形成されたヘッド挿通部３５と、前記シャッタ１１の内幅と略等しい幅に形成されたシャッタ取付部３６と、このシャッタ取付部３６の先端部に形成されたテーパ部３７と、前記ヘッド挿通部３５を介して前記シャッタ取付部３６と反対側に形成されたピン係合部３７ａとからなる。ピン係合部３７ａは、シャッタ取付部３６とほぼ同幅に形成される。」、
「テーパ部３７側の端部には、第３１図に示すように、バネ係止部３２ｂが突設されている。前記スライダ２２は、例えばナイロンあるいはポリアセタールのように、滑性に優れた合成樹脂をもって一体に形成される。」（第６頁左上欄第７行〜右上欄第１２行）　
「カートリッジホルダ３内にディスクカートリッジ６を挿入すると、まず第３２図に示すように、一方のピン４ａが閉止位置にあるスライダ２２のピン係合部３７ａの外面に当接されるとともに、他方のピン３ａがディスクカートリッジのシャッタ開放側の前縁部に当接される。」（第９頁左下欄第１５行〜第２０行）　
　
　図面、第４１図〜第５２図に関して以下の事項が記載されている。　
　「例えば、前記各実施例においては、スライダ２２の後面部３２および連結部３３をスライダ２２のほぼ全長にわたって形成したが、第４５図に示すように、スライダ２２の両端部にのみこれら後面部３２および連結部３３を形成することもできる。本例のスライダを用いると、第４６図に示すように、補強部２７を介してせそ両側部分にのみスライダ挿通孔２９が開設されたカートリッジケース２１を用いることができる。　
　また、第４７図に示すように、スライダ２２の両端部よりその長さ方向にストッパ１０３と案内部１０４とを突設し、前記ストッパ１０３の先端部をカートリッジケース２１に形成された接合用壁２３に当接することによって、窓孔１０閉鎖時のシャッタ１１の設定位置を規制するようにすることもできる。」（第１６頁左上欄第３行〜第１８行）　
「また、前記各実施例においては、シャッタ保持部材５２によってシャッタ１１を全開位置に保持するようにしたが、第４９図に示すように、カートリッジケース２１の前縁部９の、シャッタ１１が全開位置まで移動したときにピン４ａまたは５ａが移動する部分にピン嵌合凹部１０６を凹設し、当該ピン嵌合凹部１０６内にピン４ａまたは５ａを落し込むことによって、シャッタ１１を全開位置に保持するようにすることもできる。」（第１６頁右上欄第５行〜第１３行）
　前記の記載は、優先権の主張の基礎とされた上記それぞれの出願（以下、先の出願という。）の明細書に記載されていない事項であり、先願明細書に係る出願時（平成２年７月４日）に新たに追加された事項である。　
　
　
　ii．対比・判断　
　本件発明１と先願明細書に記載された事項を対比すると、本件発明１を特定する事項である、伸設部の当接突起部の下方に「前記開閉ピンが落ち込むように前記ケースの端縁に形成された逃げ凹みの深さに略等しい長さで前記伸設部と前記ケース厚み方向の幅が同一である腕部を介して係合突起部が一体形成されていること」は、先の出願に記載されておらず、本件特許に係る出願（平成２年４月１７日）以後に新たに追加された事項であるから、本件発明１が上記先願明細書に記載された発明であるとはいえない。　
　　
　本件発明２〜４，６は、請求項１を引用するもので、本件発明１と同様の理由により、上記先願明細書に記載された発明であるとはいえない。　　
　
　
　（２）異議申立人赤坂雄司の理由　
　ｄ）について　
　　ｉ．刊行物６〜８に記載された事項　
刊行物６：特開平１−２４８３７８号には、以下の事項が記載されている。　
「２はディスクカートリッジ筐体であり、ディスク１を回転自在に収納する。ディスクカートリッジ筐体２は上ハーフ３ａと下ハーフ３ｂとにより形成されている。上ハーフ３ａと下ハーフ３ｂは、例えばポリ汗タール樹脂を射出成形して作成される。」（第３頁左上欄第１７行〜右上欄第２行）　
「１１はシャッターであり、センター孔４ａ・４ｂ及びヘッド挿入孔５ａ・５ｂを閉塞する。シャッター１１は金属製で厚さ０．２ｍｍから０．３ｍｍの板ばね等の弾性体により成る。　
　１２はスライダーであり、溝部１３が下ハーフ３ｂの凸状ガイド部１４（上ハーフ３ａにもこれと対向する位置に凸状のガイド部がある）に係合し案内される。２５はその弾性部で、突起１８を有する。スライダー１２は例えばポリアセタール樹脂等を射出成形して作成される。・・・・・・・・・突起１８はシャッター１１の位置決めのために設けており、第１図，第２図で示す実施例では、円形の突起にしているが、これに限定されるものではない。」（第３頁右上欄第１お行〜左下欄第４行）　
「スライダー１２にシャッター１１を組込に時は、シャッター１１を矢印Ｉ方向押して挿入するのみでよい。」（第３頁左下欄第１６行〜第１８行）　
「スライダー１２からシャッター１１を分解する時は、・・・・・・・・・・・・取り外す。　
　１９は厚みを薄くして曲げが容易なようにしたスライド帯である。スライド帯１９の他端には外部部材（図示せず）と係合してスライド帯１９を移動させるための突起２２が設けられている。スライダー１２の中央部には引っ張りばね２３が係止されており、外部部材と突起１７との係合が外れるとスライダー１２は引っ張りばね２３の付勢力により矢印Ｄ方向に移動される。すなわち、シャッター１１はスライド帯１９が・・・・・・・・センタ孔４ａ・４ｂ及びヘッド挿入孔５ａ・５ｂを開放し、前述した回転駆動体とヘッド挿入を可能にする。又、スライド帯１９と・・・・・・・・・・・センタ孔４ａ・４ｂ及びヘッド挿入孔５ａ・５ｂを閉塞する。」（第３頁右下欄第１行〜第４頁左上欄５行）
　第１図〜第７図　
　
　
刊行物７：実願昭６２−１７２５９８号（実開平１−７８３７６号）のマイクロフィルムには、以下の事項が記載されている。　
「円形状の光ディスク１と、該ディスク１を回転可能に収納する上ケースと下ケースとからなるケース２と、このケース２に形成した記録・再生用のピックアップ挿入孔３や駆動軸挿入孔をを開閉するため、ケース上下面を挟持状態でピックアップ挿入孔３を開閉する金属製（SUS）のシャッタ板の上板４１及び４２をポリアセタール樹脂などの滑性良好な材質のスライダ４３にそれぞれ連結して断面がほぼコ字状に構成したシャッタ４を具備し、」（第５頁第５行〜第１４行）　
「さらに、前記シャッタ４としては、前記スライダ４３の内側面に水平方向に突出したリブ状のガイド片１８１を備えたものであって、該ガイド片１８１は前記ピックアップ挿入孔３よりも挿入側のケース内で案内されるようにし、さらに前記スライダ４３の上板４１及び下板４２の取付位置を除いて、スライダ４３の上下面に切欠部１８２，１８２を備え、前記ディスク１厚み寸法の側壁を残したものとするのがよい。・・・・・・・・・・。　
　そして、スライダ側壁部４４が、切欠長孔、例えばＵ字状孔又は丸孔の前記嵌挿孔１９の・・・・・・・・・・、該挿入孔１９の中心線上で前記係合凸部１８を前記側壁部４４と反対側に配備しているもので、・・・・・・・・・かつシャッタ板の係合穴８をスライダの係合突起６に嵌入して固着一体化してある。」（第７頁第６行〜第８頁第２０行）
「また、スライダ４３にはケース２との係合部１０が設けられ、ガイド溝１７に嵌入されスライドできるようになっており、・・・・・・・・シャッタ４によってピックアップ挿入孔３が覆われ、ディスクカートリッジを挿入する際に、スライドされピックアップ挿入孔３を開ける状態にスライドされ、・・・・スプリング１６で復元できるように付勢されている。　
　図中２０は軸挿入溝、２３はスライダ案内部でケース内面に設けられている。２４はシャッタ開閉操作用のピンである。」（第９頁第６行第１０頁第１行）
　第１図〜第１３図　
　
刊行物８：特開昭６２−２０９７８４号公報には、以下の事項が記載されている。　
「本発明によるディスクカートリッジは、第２図に示すように、・・・・・・・、光ディスク１を収納する硬性の合成樹脂により形成されいわゆるハードケースととして形成されたケース２と、このケース２に設けられた・・・・・・・・光学ピックアップが臨むピックアップ用の開口部３及び上記光ディスク１を回転駆動せしめる・。・・・・・・・・・ディスクテーブルが進入するディスクテーブル用中央開口部４を開閉するシャッタ５とから構成されている。」（第３頁右下欄第３行〜第１６行）
「このシャッタ５は、・・・・・・・・シャッタ部９とこのシャッタ部９の基端部に一体に設けたスライドガイド部１０とから構成されている。このスライドガイド部１０は、シャッタ部９の側方に突出するようにして該シャッタ部９の幅に比し十分長尺に形成され、・・・・・・・・・・・。このように形成されたスライドガイド部１０を設けたシャッタ５は、下ハーフ６の前側面側に形成したシャッタ取付け部１５に上記スライドガイド部１０を係合させて・・・・・・・これらピックアップ用の開口部３及び中央開口部４を開放した上記下ハーフ６の一側方側に至った位置間に亘って摺動自在に取付けられる。」（第４頁左上欄第１７行〜左下欄第２行）　
「そして、シャッタ５は、・・・・・・・、上記シャッタ部９の基端部と上記スライドガイド部１０でシャッタ取付け部１５を挟持するようにして取付けられ、・・・・・・・閉塞した位置とこれらピックアップ用の開口部３及び中央開口部４を開放した位置間に亘って摺動自在に取付けられる。」（第４頁左下欄第８行〜第１９行）　
「そして、上記引っ張りスプリング１９は、第１及び第２のガイドレール１６，１７間に形成されたスプリング収納部２２内に収納され、・・・・・・・・・・・シャッタ５をピックアップ用の開口部３及び中央開口部４を閉塞する方向に付勢している。」（第４頁右下欄第１１行〜第２０行）　
「ところで、上記切欠部２０は、スライドガイド部１０のシャッタ部から側方に突出した一端側に設けられ、第１図に示すように前面壁１１からスライドガイド部１３に亘って形成されている。」（第５頁左上欄第１行〜第４行）
「そして、第６図に示すように先端のシャッタ開閉ピン３１がディスクカートリッジ挿入側に突出するように該ディスクカートリッジの挿入方向に対し傾斜させ、支軸４３を中心に回動方向にシャッタ開閉アーム３０を取り付けた記録及び／又は再生装置に上述のように構成されたディスクカートリッジをシャッタ５の取付け部側から挿入すると、上記シャッタ開閉ピン３１がシャッタ５の切欠部２０に挿入係合しロック２１が弾性変位させて上記シャッタ５のロックを解除させる。このシャッタ開閉ピン３１が上記切欠部２０に係合し、シャッタ５のロックを解除した状態からさらに装置内方に挿入すると、シャッタ開閉アーム３０が第７図中矢印Ｘ方向に回動され、上記シャッタ５が引張りスプリング１９の付勢力に抗してピックアップ用の開口部３及び開口部４を開放する側へ摺動され、第８図に示すようにこれら開口部３、４が開放される。」（第６頁右上欄第１４行〜左下欄第１１行）　
　第１図〜第８図　
　
　ii対比・判断　
　本件発明１と上記刊行物６〜８に記載された発明を対比すると、本件発明１を特定する事項である、伸設部の当接突起部の下方に「前記開閉ピンが落ち込むように前記ケースの端縁に形成された逃げ凹みの深さに略等しい長さで前記伸設部と前記ケース厚み方向の幅が同一である腕部を介して係合突起部が一体形成されていること」は、上記刊行物６〜８に記載されておらず、当該事項により本件発明１は、「第１係合突起部２６はケース１にスライダー１２の摺動方向に沿ってそれぞれ形成された案内係合部２８ａ，２８ｂに係合されて、スライダー１２を摺動方向に案内するとともに、このケース１から容易に外れるのを防止している。」という顕著な効果を奏するものであり、本件発明１が上記刊行物６〜８に記載のものから容易に発明をすることができたものとはいえない。　
　
　本件発明２〜６は、請求項１を引用するもので、本件発明１と同様の理由により、上記刊行物６〜８に記載された発明から容易に発明をすることができたとすることはできない。　　
　
［IV］　むすび　
　訂正により、取消理由１，２について取消理由が解消された。そして、特許異議申立ての理由及び証拠によっては、本件発明１〜６についての特許を取り消すことはできない。
　また、他に本件発明１〜６についての特許を取り消すべき理由を発見しない。
　よって、結論のとおり決定する。
【異議決定日】
平成１３年６月６日（２００１．６．６）
【訂正の要旨】
平成１３年５月２８日付けの訂正の要旨
　Ａ．特許請求の範囲の減縮を目的とし、特許請求の範囲の請求項１
「【請求項１】
　・・・・・・・・・・・・・・・・・・、
　前記シャッタの折曲部分におけるシャッタ閉止方向側端部から突出するように伸ばして形成された伸設部とを有し、・・・・・・・」を、
「【請求項１】
　・・・・・・・・・・・・・・・・・・、
　前記シャッタの折曲部分におけるシャッタ閉止方向側端部から突出するように伸ばして形成されたケース厚み方向の幅が前記シャッタ支持部の幅よりも幅狭である伸設部とを有し、・・・・・・・」と訂正。
　Ｂ．明りょうでない記載の釈明を目的とし、段落６
「【０００６】【課題を解決するための手段】
・・・・・・・・・・・・、前記シャッタの折曲部分におけるシャッタ閉止方向側端部から突出するように伸ばして形成された伸設部とを有し、・・・・・・・」を、
「【０００６】【課題を解決するための手段】
・・・・・・・・・・・・・、前記シャッタの折曲部分におけるシャッタ閉止方向側端部から突出するように伸ばして形成されたケース厚み方向の幅が前記シャッタ支持部の幅よりも幅狭である伸設部とを有し、・・・・・・・」と訂正。
（５４）【発明の名称】
ディスクカートリッジ
（５７）【特許請求の範囲】
　【請求項１】　ディスク状記録媒体が収納された合成樹脂製のケースと、金属薄板を断面コの字形に折り曲げて形成され、前記ケースに形成されたヘッド挿入穴を開閉するためのシャッタと、このシャッタに取り付けられ、シャッタの開閉方向に滑るようにして前記ケースの端縁と摺接する合成樹脂製のスライダーとを備えたディスクカートリッジであって、前記スライダーは、前記シャッタの折曲部分の内側に位置してシャッタを支持するシャッタ支持部と、前記シャッタの折曲部分におけるシャッタ閉止方向側端部から突出するように伸ばして形成された
ケース厚み方向の幅が前記シャッタ支持部の幅よりも幅狭である
　【請求項２】　係合突起部が、逃げ凹みの底部よりもケースの内方側に位置することを特徴とする請求項１に記載のディスクカートリッジ。
　【請求項３】　係合突起部が、逃げ凹みの底部の長さよりも長く形成されていることを特徴とする請求項１又は２のいずれかに記載のディスクカートリッジ。
　【請求項４】　係合突起部の先端が、シャッタの開放時においてもケースに形成された案内係合部と係合する長さを有することを特徴とする請求項３に記載のディスクカートリッジ。
　【請求項５】　係合突起部の下面を、ケースに形成されディスク状記録媒体を保持する保持壁部と当接しないように切欠したことを特徴とする請求項１乃至４のいずれかに記載のディスクカートリッジ。
　【請求項６】　シャッタ支持部のシャッタ開方向側に、シャッタを閉止方向に付勢する弾性部材が係合可能であることを特徴とする請求項１乃至５のいずれかに記載のディスクカートリッジ。
【発明の詳細な説明】
　【０００１】
　【発明の属する技術分野】
　本発明はディスク状記録媒体を収納したディスクカートリッジに関する。
　【０００２】
　【従来の技術】
　記録再生装置に使用されるディスク状記録媒体は、不使用時に破損したり、塵挨が付着したりするのを防止するために、ディスクカートリッジ内にこのディスク状記録媒体を収納することによって保護している。このようなディスクカートリッジとして、例えば図１３に示すようなものがある。図１３において、符号１０１は上半片１０１ａおよび下半片１０１ｂからなるケースであり、このケース１０１にはディスク状記録媒体１０２が収納されている。ケース１０１にはこのディスクカートリッジが記録再生装置に装填されたときに、ディスク状記録媒体を回転させるための回転穴１０３や、情報の読み書きを行うためにヘッドが接近可能なヘッド挿入穴１０４が形成されている。
　【０００３】
　ここで、前記回転穴１０３やヘッド挿入穴１０４からケース１０１内部に塵挨が侵入するのを防止するために、このケース１０１にはシャッタ１０６が取り付けられている。また、シャッタ１０６はケース１０１内に収装されたねじりコイルばね１０７によって常時付勢されて、前記回転穴１０３やヘッド挿入穴１０４を閉止している。
　【０００４】
　シャッタ１０６の図１３中左側に突出した部分１０６ａに開閉ピンＰを当接し、ねじりコイルばね１０７の付勢力に抗してヘッド挿入穴１０４等を開口している。
　【０００５】
　【発明が解決しようとする課題】
　しかしながら、このような従来のディスクカートリッジにあっては、金属製のシャッタ１０６がケース１０１と直に摺接しているので、このシャッタ１０６をケース１０１に対してスムーズに摺動させにくく、またシャッタ１０６とケース１０１とにこのシャッタ１０６を摺動方向に案内する案内部が設けられていないために、シャッタ１０６を摺動方向へ向けて確実に案内させることができないという問題があった。そこで、ケース１０１に対して滑接するスライダーを取付けることが考えられるが、シャッタ１０６には開閉ピンＰが当接する突出した部分１０６ａを設けねばならないために、スライダーを取付けたシャッタ１０６部分が複雑化して、このディスクカートリッジが大型化してしまう虞が生じる。
　【０００６】
　【課題を解決するための手段】
　このような問題を解決するために、本発明のディスクカートリッジは、ディスク状記録媒体が収納された合成樹脂製のケースと、金属薄板を断面コの字形に折り曲げて形成され、前記ケースに形成されたヘッド挿入穴を開閉するためのシャッタと、このシャッタに取り付けられ、シャッタの開閉方向に滑るようにして前記ケースの端縁と摺接する合成樹脂製のスライダーとを備えたディスクカートリッジであって、前記スライダーは、前記シャッタの折曲部分の内側に位置してシャッタを支持するシャッタ支持部と、前記シャッタの折曲部分におけるシャッタ閉止方向側端部から突出するように伸ばして形成された
ケース厚み方向の幅が前記シャッタ支持部の幅よりも幅狭である
　【０００７】
　本発明のディスクカートリッジにおけるスライダーにはシャッタが取り付けられている部分から伸設部が伸ばして形成されているので、この伸設部の突端に開閉ピンを当接させてスライダーを押せば、シャッタを開閉させることができる。したがって、シャッタに開閉ピンと当接する突出部分を形成する必要がない。
　【０００８】
　ところで、シャッタを開放するには、スライダーの伸設部の先端に開閉ピンを当接させ、この開閉ピンがケースの端縁上を摺動しながらスライダーを押しやる。シャッタの開放が終了すると、開閉ピンは前記逃げ凹みに落ち込み、このシャッタの開放状態を保持している。このとき、伸設部の係合突起部は逃げ凹みに位置している。係合突起部の上面は、逃げ凹みの底部よりケース内方側に位置させているので、開閉ピンは逃げ凹みに完全に落ち込み、シャッタの開放状態を保持することができる。また、伸設部に係合突起部を形成すると、ケースの保持壁部に当接することになるが、この係合突起部の下面には切欠部が形成されているので、保持壁部に当接することはない。
　【０００９】
　【発明の実施の形態】
　以下、本発明を図面に基づいて説明する。図１および図２において符号１はディスクカートリッジのケースであり、このケース１は合成樹脂製であって全体が矩形の平板状筐体の上半片１ａと下半片１ｂとからなっている。ケース１内には光学的情報を記録した３．５インチの光ディスク２（ディスク状記録媒体）が収納されている。ケース１の下半片１ｂの中央には、光ディスク２が記録再生装置に装填されたときに、ケース１内の光ディスク２をスピンドルモータ（図示せず）によって回転させるための回転穴４が形成され、この回転穴４から光ディスク２の中心部に設けられたハブ部２ａが露出している。またケース１の上・下半片１ａ，１ｂには光ディスク２に記録された情報を読み取るための光ヘッド（図示せず）が接近可能なようにヘッド挿入穴３が形成されている。
　【００１０】
　光ディスク２を使用しない場合には、前記回転穴４やヘッド挿入穴３から塵挨がケース１内に侵入するのを防止するために、このケース１にはシャッタ５が取付けられている。シャッタ５はステンレス鋼等の金属薄板を略中央から断面略コの字形に折り曲げて形成され、前記回転穴４及びヘッド挿入穴３を開閉するための開閉板部６と、この開閉板部６よりも折り曲げ長さが短い補助開閉板部７とを有している。
　【００１１】
　ケース１の記録再生装置挿入側先端部分に形成されたガイド部Ｇは、図３に示すように、図上左側に形成されケース１の上端面から落込んだ位置に水平方向に伸びるガイド表面８を有している。ガイド表面８の同図中右側には、シャッタ５を開閉するための開閉ピンＰがガイド表面８に摺接しながらこのシャッタ５を開放したときに落込むための逃げ凹み９が形成されている。前記開閉ピンＰは図３中シャッタ５を右側に移動せしめ、ヘッド挿入穴３を開放する。
　【００１２】
　断面略コの字形シャッタ５の折曲部分５ａの内面側にはガイド部Ｇに摺接するポリアセタール等の合成樹脂製のスライダー１２が取り付けられており、このスライダー１２は図３中略右半分が前記折曲部分５ａの内面側にタッピングねじ等によって固着されている。
　【００１３】
　スライダー１２は、図４に示すように全体が細長い棒状となっており、断面略矩形であってシャッタ５の折曲部分５ａの内側に位置し、このシャッタ５を支持するシャッタの支持部２１と、この支持部２１から図４中左下方へ伸ばして形成された幅狭の伸設部２２とを有し、この伸設部２２の同図中上方から見た厚さｔ１は、支持部２１の同じ厚さｔ２に比べ小さくなるように形成されている。支持部２１の図４中右方側にはその下側に第２係合突起部２３が形成され、伸設部２２の左方側にも上側に当接突起部２５、及び腕部３３を介して下側に第１係合突起部２６が形成されている。前記支持部２１には、ねじ穴２１ａ，２１ａが形成され、前記当接突起部２５は伸設部分２２の先端から左右に張り出している。伸設部２２の厚さｔ１を小さくしているのは、図５に示すようにシャッタ５を開いた状態で記録再生装置の一対のヘッドｈが側方からヘッド挿入口３へ接近しても、それに接触しないようにするためである。すなわち、カートリッジのガイド部Ｇに沿って形成された凹んだ凹み部３１の厚さを超えないように、伸設部２２の厚さｔ１が定められる。
　【００１４】
　また、図６および図７に示すようにスライダー１２の第２係合突起部２３の両側には一対の突起部分２３ａ，２３ｂが形成され、この一対の突起部分２３ａ，２３ｂは上・下半片１ａ，１ｂの内壁面にスライダー１２の摺動方向に向けて形成された一対の案内溝２７ａ，２７ｂ（案内係合部）に嵌入している。なお、一方の突起部分２３ａは長く、他方の突起部分２３ｂは短く形成されている。
　【００１５】
　第２係合突起部２３にはねじりコイルばね１４の一端１４ａが係合される第１ばね受部１５が形成され、この第１ばね受部１５には引掛り部１５ａが形成されている。ケース１の図７中右上方端部にはねじりコイルばね１４の他端１４ｂが係合される第２ばね受部１６が形成され、ねじりコイルばね１４の付勢力によってスライダー１２を図７中左方へ付勢している。また、第２係合突起部２３にはねじりコイルばね１４が嵌入可能な割り溝２３ｃが形成されている。そして、前記他方の突起部２３ｂが短く形成されているのは、図７に示すようにシャッタ５を完全に開いたときに、ねじりコイルばね１４の他端腕１４ｂが突起部２３ｂに衝突するのを避けるためである。
　【００１６】
　一方、図８および図９に示すようにこのスライダー１２の伸設部２２の先端に形成された当接突起部２５は、開閉ピンＰによって押圧されるとガイド表面８上を摺接する。また、伸設部２２の左端側には図１０に示すように下方に形成された腕部３３を介して第１係合突起部２６が一体に形成されている。第１係合突起部２６はケース１にスライダー１２の摺動方向に沿ってそれぞれ形成された案内係合部２８ａ，２８ｂに係合されて、スライダー１２を摺動方向に案内するとともに、このケース１から容易に外れるのを防止している。
　【００１７】
　また、スライダー１２が開閉ピンＰによって図１１中左上方に摺動されると、この第１係合突起部２６は逃げ凹み９に位置する。第１係合突起部２６はこの上面２６ａが図１２に示すように、逃げ凹み９の底部９ａより下方に位置するように形成されている。一方、図９に示すように第１係合突起部２６の下面２６ｂ側には、光ディスク２をケース１内に収納保持するために形成された略円弧状の保持壁部３２が位置している。このため、下面２６ｂには保持壁部３２と当接しないように同じ円弧状に切欠された切欠部２６ｃが設けられている。
　【００１８】
　ところで、ヘッド挿入穴３を閉止しているシャッタ５を開放するには、図９に示すようにスライダー１２の当接突起部２５の先端に開閉ピンＰを当接させ、この開閉ピンＰがガイド表面８（ケースの端縁）上を摺動しながらスライダー１２を右方へ押しやる。スライダー１２はこの当接突起部２５および第１係合突起部２６がそれぞれガイド表面８および案内係合部２８ａ，２８ｂに案内されながら右方へ摺動すると、支持部２２に固着されたシャッタ５は右方へ移動されてヘッド挿入穴３を開放する。シャッタ５の開放が終了すると、開閉ピンＰは逃げ凹み９に落ち込みこのシャッタ５の開放状態を保持する。このとき、第１係合突起部２６は図１１及び図１２に示すように逃げ凹み９に位置している。
　【００１９】
　そこで、第１係合突起部２６の上面２６ａが、逃げ凹み９の底部９ａよりも図１２中上方に位置しているとすると、開閉ピンＰは落ち込もうとしても上面２６ａに当接してしまい、逃げ凹み９内に完全に落ち込むのが阻止される。このように開閉ピンＰが逃げ凹み９に完全に落ち込むのが阻止されると、開閉ピンＰは逃げ凹み９と確実に係合されなくなり、ねじりコイルばね１４の付勢力を受けるスライダー１２によって開閉ピンＰは逃げ凹み９から押し出されることになり、シャッタ５の開放状態の保持が不安定となる。
　【００２０】
　しかし、第１係合突起部２６の上面２６ａは、逃げ凹み９の底部９ａより図１２中下方に位置させてるため、開閉ピンＰは逃げ凹み９内に完全に落ち込んでこれと確実に係合される。このため、開閉ピンＰはスライダー１２の腕部２７と係合し、シャッタ５の開放状態を保持することができる。なお、この上面２６ａを底部９ａより下方に位置させるために、第１係合突起部２６を伸設部２２から図９中下方に向けて形成すると、ケース１の保持壁部３２に当接するが、この下面２６ｂには切欠部２６ｃが形成されているので、保持壁部３２に当接することはない。
　【００２１】
　一方、スライダー１２にはシャッタ５の折曲部分５ａから伸設部２２が伸ばして形成されているので、この伸設部２２の突端に開閉ピンＰを当接させてスライダー１２を押せば、シャッタ５を開閉させることができる。したがって、シャッタ５に開閉ピンＰと当接する突出部分を形成する必要がなく、スライダー１２の伸設部２２に前記突出部分の役目を持たせることで、スライダー１２を取り付けたシャッタ５部分は単純化され、このディスクカートリッジを小型化することができる。
　【００２２】
　【発明の効果】
　以上説明したように本発明によれば、スライダーをシャッタが取付けられている部分から前記開閉ピンが当接可能な伸設部を伸ばして形成したので、この伸設部に開閉ピンを当接させてシャッタを開閉させることができる。したがって、シャッタに開閉ピンと当接する突出部分を形成する必要がなく、スライダーを取り付けたシャッタ部分は単純化され、このディスクカートリッジを小型化することができる。
　【００２３】
　また、伸設部先端にケースの案内係合部と係合する係合突起部を形成し、この係合突起部の上面を前記ケースの端縁に形成された逃げ凹み底部よりもケース内方側に位置するようにしたので、シャッタの開放を終了した開閉ピンが逃げ凹みに完全に落ち込んでこれに確実に係合される。したがって、開閉ピンはスライダーと係合し、シャッタの開放状態を保持することができる。さらに、係合突起部の下面を前記ケースに形成されディスク状記録媒体を保持する保持壁部と当接しないように切欠したので、この係合突起部は前記保持壁部に当接することがない。
【図面の簡単な説明】
　【図１】　スライダーが用いられたディスクカートの表側の斜視図
　【図２】　スライダーが用いられたディスクカートリッジの裏側の斜視図
　【図３】　ディスクカートリッジの正面図
　【図４】　スライダーの斜視図
　【図５】　シャッタを開いたときのガイド部の状態説明図
　【図６】　図３におけるＶＩ−ＶＩ線断面図
　【図７】　図７は図６におけるＶＩＩ−ＶＩＩ線断面図
　【図８】　図８はこのディスクカートリッジの部分平面図
　【図９】　図９はこのディスクカートリッジの部分断面図
　【図１０】　図１０は図９におけるＸ−Ｘ断面図
　【図１１】　図１１は図９におけるＸＩ矢視斜視図
　【図１２】　図１２は図１１におけるＸＩＩ−ＸＩＩ線断面図
　【図１３】　図１３は従来のディスクカートリッジを示す斜視図
　【符号の説明】
　１・・・ケース
　３・・・ヘッド挿入穴
　５・・・シャッタ
　９・・・逃げ凹み
　９ａ・・・底部
　１２・・・スライダー
　２２・・・伸設部
　２６・・・第１係合突起部
　２６ｃ・・・切欠部
　３２・・・保持壁部